(57)【要約】【課題】  本件発明はケーシングの強度を低下させずに表示部の視認性を向上させることができる衛生洗浄装置を提供することを目的とする。【解決手段】  機能部を内部に収容するケーシングと、ケーシングの内部に設けられ、機能部の動作状態に基づいて発光する光源と、ケーシングと一体で形成され、光源からの光が透過するようにケーシングの内面が凹状に窪んで形成された光透過部と、を有する表示部と、を備え、記表示部の光透過部は、ケーシングの肉厚より薄い肉厚で形成される第１薄肉部と、第１薄肉部の周囲において、第１薄肉部に近づくにつれて徐々に薄肉となる肉厚で形成された第２薄肉部と、を有し、光透過部の外面が、第２薄肉部から第１薄肉部までケーシングの外面よりも凸状に盛り上がっていることを特徴とする。【選択図】図３
2019027139.tif 000002
【特許請求の範囲】
【請求項１】
機能部を内部に収容するケーシングと、
前記ケーシングの内部に設けられ、前記機能部の動作状態に基づいて発光する光源と、前記ケーシングと一体で形成され、前記光源からの光が透過するように前記ケーシングの内面が凹状に窪んで形成された光透過部と、を有する表示部と、
を備え、
前記表示部の光透過部は、
前記ケーシングの肉厚より薄い肉厚で形成される第１薄肉部と、
前記第１薄肉部の周囲において、前記第１薄肉部に近づくにつれて徐々に薄肉となる肉厚で形成された第２薄肉部と、を有し、
前記光透過部の外面が、前記第２薄肉部から第１薄肉部まで前記ケーシングの外面よりも凸状に盛り上がっていることを特徴とする衛生洗浄装置。
【請求項２】
前記表示部の光透過部は、その内面が前記ケーシングの外面より盛り上がらないように形成されていることを特徴とする請求項１記載の衛生洗浄装置。
【請求項３】
前記光源の先端は、前記光透過部の凹状に窪んだ部分に配置されることを特徴とする請求項２記載の衛生洗浄装置。
【発明の詳細な説明】
【技術分野】
【０００１】
本発明は、機能部の動作状態を確認可能な衛生洗浄装置に関する。
【背景技術】
【０００２】
現在、特開２０１７−６６６５１号公報（特許文献１）のように、ケーシングに「脱臭機能」や「除菌機能」等を有する機能部の動作状態を表示する表示部を設けた衛生洗浄装置が知られている。
この特許文献１において、表示部は、ケーシング内部に設けられた光源からの光をケーシングに設けられた開口を塞ぐように取り付けられた光透過窓から透過させることで、機能部の動作状態を表示することができる。
【０００３】
また、特開２０１６−１８９９２９（特許文献２）のように、光透過窓の代わりに、ケーシングの一部を薄肉にした光透過部から光源の光を透過させて機能部の動作状態を表示するものが知られている。
この特許文献２を特許文献１の衛生洗浄装置と組み合わせることで、表示部にケーシングと別部材である透過窓が必要なくなり、衛生洗浄装置の清掃性及び意匠性を向上させることができる。
【先行技術文献】
【特許文献】
【０００４】
【特許文献１】特開２０１７−６６６５１号公報
【特許文献２】特開２０１６−１８９９２９号公報
【発明の概要】
【発明が解決しようとする課題】
【０００５】
しかしながら、特許文献１及び特許文献２を組み合わせた衛生洗浄装置において、光透過部の外面とその周辺のケーシングの外面とが面一となっており、光源からの光がケーシング外に広がりにくい。そのため、使用者の見る角度によって表示部の光が見えにくく、機能部の動作状態が確認しにくいという問題があった。
例えば、パブリックスペースに設置される衛生洗浄装置などにおいて、機能部の動作状態に異常があることを見落とされると、修理が行われるまでに多くの時間を要することになるため視認性の向上させることは重要である。
【０００６】
また、表示範囲を広げて視認性を向上させるために、均一な肉厚の薄肉部の範囲を広げて光透過部を大きくすると、光透過部と一体で形成されたケーシングの強度が低下するという問題があった。
【０００７】
本発明は、このような従来の課題を解決するものであり、ケーシングの強度を低下させずに表示部の視認性を向上させることができる衛生洗浄装置を提供することを目的とする。
【課題を解決するための手段】
【０００８】
前述した目的を達成するために、本発明の衛生洗浄装置は、機能部を内部に収容するケーシングと、前記ケーシングの内部に設けられ、前記機能部の動作状態に基づいて発光する光源と、前記ケーシングと一体で形成され、前記光源からの光が透過するように前記ケーシングの内面が凹状に窪んで形成された光透過部と、を有する表示部と、を備え、前記表示部の光透過部は、前記ケーシングの肉厚より薄い肉厚で形成される第１薄肉部と、前記第１薄肉部の周囲において、前記第１薄肉部に近づくにつれて徐々に薄肉となる肉厚で形成された第２薄肉部と、を有し、前記光透過部の外面が、前記第２薄肉部から第１薄肉部まで前記ケーシングの外面よりも凸状に盛り上がっていることを特徴としている。
【０００９】
このように構成された本発明においては、第２薄肉部によって、ケーシングの外面側から光透過部にかかる荷重を分散させることで、広い範囲に均一の肉厚で光透過部を形成した場合と比較して、肉厚を薄肉にすることによるケーシングの強度の低下を抑制することができる。
また、光透過部は、光透過部の外面が第２薄肉部の一部から第１薄肉部にかけてケーシングの外面よりも凸状に盛り上がって形成され、その部分を光源の光が透過することで、光透過部の外面がケーシングの外面と面一で形成されている場合と比較して、第１薄肉部と第２薄肉部とからより多くの光を透過させることができると共に、その光をよりも広い範囲から視認可能にできる。
従って、広い範囲に均一の肉厚で光透過部を形成した場合と比較して、ケーシングの強度を低下させずに表示部の視認性を向上させることができる。
【００１０】
本発明において、好ましくは、前記表示部の光透過部は、その内面が前記ケーシングの外面より盛り上がらないように形成されていることを特徴としている。
【００１１】
このように構成された本発明においては、光透過部の内面が大きく盛り上がらない、つまり、第１薄肉部と第２薄肉部における肉厚が極端に薄くならないようになっているので、ケーシングの強度が低下しにくい。
【００１２】
本発明において、好ましくは、前記光源の先端は、前記光透過部の凹状に窪んだ部分に配置されることを特徴としている。
【００１３】
このように構成された本発明においては、光源が光透過部の窪んだ部分の外部に配置された場合と比較して、光源からの光をできるだけ光透過部の内面に近い位置から透過させることができ、ケーシングの強度を高めるために光透過部の肉厚を厚くした場合であっても確実に光を透過させ、視認性の低下を抑制することができる。
【発明の効果】
【００１４】
本発明によれば、ケーシングの強度を低下させずにケーシングの強度を低下させずに、表示部の視認性を向上させることができる衛生洗浄装置を提供することができる。
【図面の簡単な説明】
【００１５】
【図１】本発明の実施形態による衛生洗浄装置を備えたトイレ装置を表す斜視図である。
【図２】図１のＩＩ−ＩＩ線における断面図である。
【図３】図２の拡大図である。
【図４】本発明の実施形態による衛生洗浄装置における表示部の光源の発光状態を示す図である。
【発明を実施するための形態】
【００１６】
以下、図面を参照しつつ、本発明の実施形態による衛生洗浄装置を備えたトイレ装置について説明する。なお、各図面中、同様の構成要素には同一の符号を付して詳細な説明は適宜省略する。
まず、図１により、本発明の実施形態による衛生洗浄装置をトイレ装置の説明を行う。図１は、本発明の実施形態による衛生洗浄装置を備えたトイレ装置を表す斜視図である。
【００１７】
図１に示すように、トイレ装置１は、洋式腰掛便器（以下説明の便宜上、単に「便器」と称する）２と、衛生洗浄装置４と、を備える。衛生洗浄装置４は、便器２の上に取り付けられる。衛生洗浄装置４は、便器２に対して一体的に取り付けてもよいし、便器２に対して着脱可能に取り付けてもよい。便器２は、トイレ装置１に必要に応じて設けられ、省略可能である。
【００１８】
便器２は、陶器製であって、凹状のボウル部２ａを有する。この便器２は、ボウル部２ａにおいて使用者の尿や便などの排泄物を受ける。
【００１９】
衛生洗浄装置４は、便座６と、便蓋８と、ケーシング１０と、を有する。便蓋８は、衛生洗浄装置４に必要に応じて設けられ、省略可能である。便座６と便蓋８とは、ケーシング１０に対して回転可能に軸支されている。
【００２０】
ここで、本願明細書においては、便座６に座った使用者からみて上方を「上方」とし、便座６に座った使用者からみて下方を「下方」とする。また、開いた状態の便蓋８に背を向けて便座６に座った使用者からみて前方を「前方」とし、後方を「後方」とし、右側を「右側方」とし、左側を「左側方」とする。
【００２１】
便座６は、その内部に通電されることにより発熱するヒータ（図示せず）が設けられており、このヒータによって便座６の着座面を暖める暖房機能を有する。
【００２２】
衛生洗浄装置４のケーシング１０は、例えば、ポリプロピレンなどのポリオレフィンやポリブチレンテレフタレートなどのポリエステルやＡＢＳ樹脂などのポリスチレン系樹脂で形成された樹脂製の筐体であり、便器２のボウル部２ａよりも後方の部分の上に取り付けられる。
【００２３】
ケーシング１０の内部には、各種機能を備えた機能部１２が内蔵されている。この機能部１２は、例えば、便座６に座った使用者の「おしり」などを洗浄するための「局部洗浄機能」、ボウル２ａ内の脱臭を行う「脱臭機能」、ボウル２ａにミスト状の機能水あるいは水を噴霧するための「除菌機能」などの機能を有する。
機能部１２は、便座６に座った使用者の「おしり」などに向けて温風を吹き付けて乾燥させる「温風乾燥機能」や「室内暖房機能」などの機能をさらに有してもよく、上記に限ることなく、トイレ装置１において用いられる任意の機能であればよい。
【００２４】
また、ケーシング１０には、機能部１２の動作状態を表示する表示部１４が隣同士に連立して複数設けられている。
この表示部１４は、発光色を変えて点灯することで、機能部１２の動作状態を使用者に視認させることができる。なお、本発明の実施形態においては、この表示部１４は、複数設けられており、それぞれ「電源のＯＮＯＦＦ状態」、「暖房機能」、「脱臭機能」、「除菌機能」の動作状態を表示している。
具体的には、表示部１４は、例えば、「電源のＯＮＯＦＦ状態」を表示する場合、緑系の発光色で点灯することで通常使用可能状態、消灯することで電源ＯＦＦ状態、赤系の発光色で点灯することで省電力待機状態を示す。
また、表示部１４は、例えば、「暖房機能」を表示する場合、緑系の発光色で点灯することで通常使用可能態、赤系の発光色で点灯することで加熱状態、消灯することで使用不可状態を示す。
また、これに限らず、表示部１４は、上記の発光色と異なる色で点灯することで、上述した状態と異なる動作状態を示すようにしてもよい。
【００２５】
次に、図２及び図３により、本発明の実施形態による衛生洗浄装置の表示部の詳細について説明を行う。図２は、図１のＩＩ−ＩＩ線における断面図である。図３は、図２の拡大図である。
【００２６】
図２及び図３に示すように、表示部１４は、ケーシング１０の内部に設けられた光源１８と、ケーシング１０と一体で形成され、光源１８からの光を透過するように光透過部１６と、を有する。この光透過部１６と光源１８とは、表示部１４の数だけ連立して設けられている。
【００２７】
光透過部１６は、ケーシング１０の内面１０ａ側が凹状になだらかに窪むように形成されている。
具体的には、光透過部１６は、ケーシングの肉厚Ｗよりも薄肉な肉厚ｗ１で形成された第１薄肉部２２と、第１薄肉部２２に近づくにつれて徐々に薄肉となる肉厚ｗ２で形成された第２薄肉部２４と、を有する。これらの肉厚は肉厚Ｗ＞肉厚ｗ２＞肉厚ｗ１の関係になるように形成されている。
つまり、光透過部１６は、その肉厚がケーシング１０の肉厚Ｗから第２薄肉部２４の肉厚ｗ２を経て、第１薄肉部２２の肉厚ｗ１まで薄肉になることで、凹状になだらかに窪んで形成されている。
なお、ケーシング１０の肉厚Ｗは、１．５ｍｍ〜３．５ｍｍであり、第１薄肉部２２の肉厚ｗ１は、０．２ｍｍ〜０．７ｍｍである。
また、光透過部１６の内面１６ａは、ケーシング１０の外面１０ｂよりも盛り上がらないように形成されている。換言すると、光透過部１６の内面１６ａは、ケーシング１０の外面１０ｂよりも下方に位置するようになっている。
【００２８】
また、光透過部１６の外面１６ｂは、第２薄肉部２４の一部から第１薄肉部２２にかけて、ケーシング１０の外面１０ｂよりも凸状に盛り上がって形成されている。
このように形成された第２薄肉部２４は、ケーシング１０の外面１０ｂ側から光透過部１６にかかる荷重を分散させることができ、ケーシング１０の強度が低下することを抑制することができる。
なお、光透過部１６の外面１６ｂは、第２薄肉部２４のはじめから第１薄肉部２２にかけて、ケーシング１０の外面１０ｂよりも凸状に盛り上がって形成してもよい。
【００２９】
光源１８は、ケーシング１０の内部に設けられたＬＥＤである。この光源１８は、電子基板２０に接続されており、波長が変更されるように制御することで、青、緑、赤などの複数の色に発光することができる。
【００３０】
光源１８は、少なくともその先端１８ａが光透過部１６の凹状に窪んで形成された部分である内部空間Ｓに位置するように配置されている。そのため、光源１８が光透過部１６の内部空間Ｓの外部に配置された場合と比較して、光源１８からの光をできるだけ光透過部１６の内面１６ａに近い位置から透過させることができ、ケーシング１０の強度を高めるために光透過部１６の肉厚を厚くした場合であっても確実に光源１８からの光を透過させることができ、表示部１４の視認性の低下を抑制することができる。
また、光源１８は、その先端１８ａが光透過部１６の内部空間Ｓに位置するように配置されているため、光源１８からの光が隣接する光透過部１６に届きづらく、隣接する光源１８からの光が光透過部１６から透過して、機能部１２の動作状態を誤表示することを抑制することができる。
【００３１】
つぎに、図４を用いて、上述した本発明の実施形態による衛生洗浄装置における表示部の発光状態について説明する。図４は、本発明の実施形態による衛生洗浄装置における表示部の光源の発光状態を示す図である。
図４に示すように、表示部１４は、光源１８が中心軸Ｔから放射状に光Ｌが広がるように発光する。そして、表示部１４は、光源１８からの光Ｌが屈折しながら光透過部１６を透過することで、機能部１２の動作状態を示すことができる。
【００３２】
光源１８からの光Ｌは、光透過部１６の外面１６ｂがケーシング１０の外面１０ｂよりも凸状に盛り上がっている部分から透過すると、光透過部１６の外面１６ｂがケーシング１０の外面１０ｂと面一で形成されている場合よりも広い範囲から視認できる。そのため、光透過部１６の外面１６ｂが面一で形成されている場合よりも使用者の視認性を向上させることができる。
また、光透過部１６の外面１６ｂは、第２薄肉部２４の一部から第１薄肉部２２にかけて、ケーシング１０の外面１０ｂよりも凸状に盛り上がって形成されているので、光透過部１６は、第１薄肉部２２と第２薄肉部２４とから透過するより多くの光Ｌを凸状に盛り上がっている部分から透過させることができ、使用者の視認性がより良い。
特に、赤系の光は、青系の光と比較して屈折率が小さく、より多くの光Ｌが光透過部１６の外面１６ｂの凸状に盛り上がっている部分から透過しやすい。そのため、機能部１２の異常状態における視認性がよい。
【００３３】
つぎに、上述した本発明の実施形態による衛生洗浄装置４における作用について説明する。
まず、本発明の実施形態による衛生洗浄装置４によれば、表示部１４の光透過部１６は、ケーシング１０の肉厚Ｗより薄い肉厚ｗ１で形成される第１薄肉部２２と、第１薄肉部２２の周囲において、第１薄肉部２２に近づくにつれて徐々に薄肉となる肉厚ｗ２で形成された第２薄肉部２４と、を有し、光透過部１６の外面１６ｂが、第２薄肉部２４から第１薄肉部２２までケーシング１０の外面１０ｂよりも凸状に盛り上がっている。
この光透過部１６は、第２薄肉部２４によって、ケーシング１０の外面１０ｂ側から光透過部１６にかかる荷重を分散させ、広い範囲に均一の肉厚で光透過部１６を形成した場合と比較して、肉厚を薄肉にすることによるケーシング１０の強度の低下を抑制することができる。
また、光透過部１６は、光透過部１６の外面１６ｂが第２薄肉部２４の一部から第１薄肉部２２にかけてケーシング１０の外面１０ｂよりも凸状に盛り上がって形成され、その部分を光源１８の光が透過することで、光透過部１６の外面１６ｂがケーシング１０の外面１０ｂと面一で形成されている場合と比較して、第１薄肉部２２と第２薄肉部２４とからより多くの光Ｌを透過させることができると共に、その光Ｌをよりも広い範囲から視認可能にできる。
従って、広い範囲に均一の肉厚で光透過部１６を形成した場合と比較して、ケーシング１０の強度を低下させずに、表示部１４の視認性を向上させることができる。
【００３４】
また、本発明の実施形態による衛生洗浄装置４によれば、光透過部１６は、その内面１６ａがケーシング１０の外面１０ｂより盛り上がらないように形成されている。つまり、第１薄肉部２２と第２薄肉部２４における肉厚が極端に薄くならないようになっているので、ケーシング１０の強度が低下しにくい。
【００３５】
また、本発明の実施形態による衛生洗浄装置４によれば、光源１８の先端１８ａは、光透過部１６の凹状に窪んだ部分である内部空間Ｓに配置されている。
そのため、光源１８が光透過部１６の内部空間Ｓの外部に配置された場合と比較して、光源１８からの光をできるだけ光透過部１６の内面１６ａに近い位置から透過させることができ、ケーシング１０の強度を高めるために光透過部１６の肉厚を厚くした場合であっても確実に光源１８からの光を透過させることができ、視認性の低下を抑制することができる。
【００３６】
以上、本発明の実施の形態について説明した。しかし、本発明はこれらの記述に限定されるものではなく、前述の本実施形態に関して、当業者が適宜設計変更を加えたものも、本発明の特徴を備えている限り、本発明の範囲に包含される。
また、前述した各実施の形態が備える各要素は、技術的に可能な限りにおいて組み合わせることができ、これらを組み合わせたものも本発明の特徴を含む限り本発明の範囲に包含される。
【符号の説明】
【００３７】
１      トイレ装置
２      便器
２ａ    ボウル部
４      衛生洗浄装置
６      便座
８      便蓋
１０    ケーシング
１０ａ  内面
１０ｂ  外面
１２    機能部
１４    表示部
１６    光透過部
１６ａ  内面
１６ｂ  外面
１８    光源
２０    電子基板
２２    第１薄肉部
２４    第２薄肉部
【図１】
2019027139.tif 000003
【図２】
2019027139.tif 000004
【図３】
2019027139.tif 000005
【図４】
2019027139.tif 000006